(57)【要約】【課題】構造が簡単で、部品点数が少なく、しかも、清掃が容易な組み合わせ商品陳列台を提供する。【解決手段】上面に、前後方向を向く複数の凹溝１を、左右方向に互いに離間させて設け、かつ下面の少なくとも前部に、凹溝１に係合しうる形状とした下向きの凸部２を設けた複数の商品支持台３、３を、上段の商品支持台３の凸部２を下段の商品支持台３のいずれかの凹溝１に係合させて、前後方向に摺動可能として積み重ねる。【選択図】      図１
2009195282.tif 000002
【特許請求の範囲】
【請求項１】
上面に、前後方向を向く複数の凹溝を、左右方向に互いに離間させて設け、かつ下面の少なくとも前部に、前記凹溝に係合しうる形状とした下向きの凸部を設けた複数の商品支持台を、上段の商品支持台の凸部を下段の商品支持台のいずれかの凹溝に係合させて、前後方向に摺動可能として積み重ねたことを特徴とする組み合わせ商品陳列台。
【請求項２】
上段の商品支持台の後部に、下段の商品支持台の高さに相当する長さを有する後部支持脚を設けたことを特徴とする請求項１記載の組み合わせ商品陳列台。
【請求項３】
後部支持脚を、商品支持台に着脱可能として設けたことを特徴とする請求項２記載の組み合わせ商品陳列台。
【請求項４】
各商品支持台の後端下部に上向きに凹入する切欠きを設けるとともに、この切欠きの前部に、上向きの差込孔を設け、この差込孔に、後部支持脚の上端より前方を向く前向き片の前端部に設けた上向きの差込片を、着脱自在に嵌合し、かつ前記前向き片を前記切欠きに嵌合することにより、後部支持脚を商品支持台の後端より後方に位置するようにしたことを特徴とする請求項３記載の組み合わせ商品陳列台。
【請求項５】
下段の商品支持台の後部に、上段の商品支持台における凸部と当接して、上段の商品支持台の後方への摺動を阻止するストッパを設けたことを特徴とする請求項１〜４のいずれかに記載の組み合わせ商品陳列台。
【請求項６】
凸部の正面形状を、下段の商品支持台における対向する凹溝の断面形状と補形をなす形状としたことを特徴とする請求項１〜５のいずれかに記載の組み合わせ商品陳列台。
【請求項７】
上段の商品支持台の前面に、手掛け部を設けたことを特徴とする請求項１〜６のいずれかに記載の組み合わせ商品陳列台。
【請求項８】
すべての商品支持台を同一形状としたことを特徴とする請求項１〜７のいずれかに記載の組み合わせ商品陳列台。
【請求項９】
凹溝の断面形状を、円弧状としたことを特徴とする請求項１〜８のいずれかに記載の組み合わせ商品陳列台。
【発明の詳細な説明】
【技術分野】
【０００１】
本発明は、スーパーマーケットやデパート等において、商品を異なる態様で陳列できるようにした組み合わせ商品陳列台に関する。
【背景技術】
【０００２】
この種の組み合わせ商品陳列台としては、例えば、櫛部を有する第１基板と、その櫛部がスライド自在に嵌合する仕切り部を有する第２基板とを１対として、伸縮自在の商品陳列台を構成し、この商品陳列台を２台以上積み重ねて、商品陳列セットとしたものがある(例えば特許文献１参照)。
また、脚部を回動させることにより、商品の陳列形態を、一台で２通りに変えることができるようにしたものもある(例えば特許文献２参照)。
【特許文献１】特開２００７−７２４６号公報
【特許文献２】特開２００４−１６６３１号公報
【発明の開示】
【発明が解決しようとする課題】
【０００３】
しかし、特許文献１のものにおいては、商品が野菜や惣菜等の食品である場合、野菜くずや油かす等が櫛部の隙間に落下し、それを取り除くのが困難であったり、構造が複雑で、製造コストが高くつく等の問題がある。
【０００４】
また、特許文献１のものにおいては、脚部を商品陳列本体部に枢着しなければならず、構造が複雑であるとともに、変化できる商品の陳列態様の数が限られており、レイアウト変更の自由度が乏しい。
【０００５】
本発明は、従来の技術が有する上記のような問題点に鑑み、構造が簡単で、部品点数が少なく、しかも、清掃が容易な組み合わせ商品陳列台を提供することを目的としている。
【課題を解決するための手段】
【０００６】
本発明によると、上記課題は、次のようにして解決される。
(１)  上面に、前後方向を向く複数の凹溝を、左右方向に互いに離間させて設け、かつ下面の少なくとも前部に、前記凹溝に係合しうる形状とした下向きの凸部を設けた複数の商品支持台を、上段の商品支持台の凸部を下段の商品支持台のいずれかの凹溝に係合させて、前後方向に摺動可能として積み重ねる。
【０００７】
このような構成とすると、同一形状の複数の商品支持台を、前後方向に位置をずらせて積み重ねるだけで、ひな壇状の商品陳列面を簡単に形成することができるとともに、各段の奥行きを自由に変更でき、しかも、凹溝内に落下した野菜くず等を除去し易く、清掃が容易である。
【０００８】
(２)  上記(１)項において、上段の商品支持台の後部に、下段の商品支持台の高さに相当する長さを有する後部支持脚を設ける。
【０００９】
このような構成とすると、上段の商品支持台を、下段の商品支持台より後方に大きくずらした際の、上段の商品支持台の後部の支持を安定させることができる。
【００１０】
(３)  上記(２)項において、後部支持脚を、商品支持台に着脱可能として設ける。
【００１１】
このような構成とすると、商品陳列台の不使用時や運搬時に、後部支持脚を商品陳列台から外して、収納や運搬の妨げとならないようにすることができる。
【００１２】
(４)  上記(３)項において、各商品支持台の後端下部に上向きに凹入する切欠きを設けるとともに、この切欠きの前部に、上向きの差込孔を設け、この差込孔に、後部支持脚の上端より前方を向く前向き片の前端部に設けた上向きの差込片を、着脱自在に嵌合し、かつ前記前向き片を前記切欠きに嵌合することにより、後部支持脚を商品支持台の後端より後方に位置するようにする。
【００１３】
このような構成とすると、後部支持脚を商品支持台に容易に着脱することができるとともに、後部支持脚を商品支持台に装着したままの状態で、複数の商品支持台を、前後方向の位置を揃えて積み重ねることができる。
【００１４】
(５)  上記(１)〜(４)項のいずれかにおいて、下段の商品支持台の後部に、上段の商品支持台における凸部と当接して、上段の商品支持台の後方への摺動を阻止するストッパを設ける。
【００１５】
このような構成とすると、上段の商品支持台を後方へ摺動させる際に、誤って上段の商品支持台が、下段の商品支持台の後端を越えて脱落するといったおそれを防止することができる。
【００１６】
(６)  上記(１)〜(５)項のいずれかにおいて、凸部の正面形状を、下段の商品支持台における対向する凹溝の断面形状と補形をなす形状とする。
【００１７】
このような構成とすると、上段の商品支持台を前方へ摺動させることにより、凸部により、下段の商品支持台における凹溝に溜まった野菜くず等の塵芥を、前方に掻き落とすことができる。特に、下段の商品支持台の上面におけるすべての凹溝に、上段の商品支持台に設けた凸部が嵌合するようにすると、上段の商品支持台を前方へ摺動させるだけで、下段の商品支持台の上面におけるすべての凹溝内の塵芥を前方に掻き落とすことができ、清掃が容易になる。
【００１８】
(７)  上記(１)〜(６)項のいずれかにおいて、上段の商品支持台の前面に、手掛け部を設ける。
【００１９】
このような構成とすると、上段の商品支持台を、前後方向に楽に移動させることができる。
【００２０】
(８)  上記(１)〜(７)項のいずれかにおいて、すべての商品支持台を同一形状とする。
【００２１】
このような構成とすると、製造が容易になるとともに、商品支持台を上段用のものと下段用のものとに区別する必要がなく、使い勝手がよい。
とができる。
【００２２】
(９)  上記(１)〜(８)項のいずれかにおいて、凹溝の断面形状を、円弧状とする。
【００２３】
このような構成とすると、凹溝内に溜まった野菜くず等の塵芥を除去し易く、清掃作業が楽になる。
【発明の効果】
【００２４】
本発明によると、構造が簡単で、部品点数が少なく、しかも、清掃が容易な組み合わせ商品陳列台を提供することができる。
【発明を実施するための最良の形態】
【００２５】
以下、本発明の実施形態を、添付図面を参照して説明する。  
図１〜図４は、本発明の第１の実施形態を示す。
この組み合わせ商品陳列台は、上面に、前後方向を向く複数の凹溝１が、左右方向に互いに離間させて設けられ、かつ下面の前後部に、上記凹溝１に係合しうる形状とした左右１対の下向きの凸部２が設けられた２個の同一形状の商品支持台３、３を、上段の商品支持台３の凸部２が下段の商品支持台３のいずれかの凹溝１に係合するようにして、前後方向に摺動可能として積み重ねたものよりなっている。
【００２６】
各商品支持台３は、合成樹脂材料により、下面が開口する倒立筺状に形成され、その上面に、断面形状を円弧状とした複数の凹溝１が形成されている。
【００２７】
この実施形態においては、各突部２の正面形状は、凹溝１の上半部の形状と補形をなす倒立台形状のものとしてあるが、凹溝１の全体の断面形状と補形をなす半円弧状のものとしてもよく、また下段の商品支持台３におけるすべての凹溝１と同数の突部２を、対応する下段の商品支持台３におけるすべての凹溝１に嵌合するようにして形成してもよい。
【００２８】
各商品支持台３の上面における両側部の凹溝１の後端部には、上段の商品支持台３を後方に摺動させたとき、上段の商品支持台３が、下段の商品支持台３を越えて脱落する前に、上段の商品支持台３における前方の凸部２と当接して、上段の商品支持台３のそれ以上の後方への摺動を阻止するストッパ４がそれぞれ設けられている。
【００２９】
各商品支持台３の後端下部には、上向きに凹入する横長方形の切欠き５が設けられており、その切欠き５の前方において、各商品支持台３の後部両側部には、下面中央部に上向きの差込孔６が設けられた上下方向を向くボス部７が形成されている。
【００３０】
上段の商品支持台３における左右の差込孔６、６に、正面形が上方に向かって開口する上向コ字状をなす後部支持脚８の両側上端より前方を向く前向き片８ａ、８ａの前端部に設けた上向きの差込片８ｂ、８ｂを、下方より嵌合し、また上記切欠き５の両側部に、前向き片８ａ、８ａを下方より嵌合することにより、後部支持脚８は、上段の商品支持台３の後端より後方に突出するようにして、上段の商品支持台３に着脱自在に取り付けられている。
【００３１】
上段の商品支持台３の下面より下方の後部支持脚８の長さは、下段の商品支持台３の全高と同一とし、上段の商品支持台３を、下段の商品支持台３の上面に沿って後方に移動しても、上段の商品支持台３が傾斜しないようにしてある。
【００３２】
各商品支持台３の前面中央には、各商品支持台３の移動を容易にするための横長の長円形孔とした手掛け部９が設けられている。
【００３３】
この第１の実施形態においては、不使用時、または高さの高い商品を陳列する場合は、図３に示すように、上段の商品支持台３を、下段の商品支持台３上に、前後方向の位置を揃えて積み重ねた状態で、商品陳列棚における棚板や商品陳列台における台板(いずれも図示略)等の上に載置し、上段の商品支持台３上と、その前方の棚板等の上面とに商品を載置して陳列することができるとともに、低寸の商品を陳列する場合は、図１および図２に示すように、上段の商品支持台３を、下段の商品支持台３より後方に位置をずらした状態で、それらを棚板等に載置し、上段の商品支持台３上と、その前方の下段の商品支持台３上と、棚板等の上面とに、商品を３段のひな壇状に陳列することができる。
【００３４】
また、商品の大きさや陳列量等に基づいて、下段の商品支持台３に対する上段の商品支持台３の後方への移動量を変更することにより、下段の商品支持台３の上面における商品陳列面の奥行き寸法を適宜変更することができる。
【００３５】
さらに、下段の商品支持台３上に、野菜くずや惣菜くず等の塵芥が堆積した場合は、上段の商品支持台３を、下段の商品支持台３の上面に沿って前方に摺動させる。
すると、下段の商品支持台３の上面上と、両側部の凹溝１、１上とに堆積した塵芥は、上段の商品支持台３の前面下縁と、左右の凸部２、２とにより、前方に掻き落とされる。
【００３６】
このとき、上段の商品支持台３の前面下縁の形状を、下段の商品支持台３の上面の正面形状と完全に補形を成す形状としておくと、上記の掻き落とし効果をさらに高めることができる。
【００３７】
図５は、本発明の第２の実施形態を示す。
この実施形態においては、互いに同一形状とした３個の商品支持台３を積み重ねて、商品支持台を形成してある。
最下段の商品支持台３と、その直上の中段の商品支持台３とは、第１の実施形態における下段の商品支持台３と上段の商品支持台３と全く同一であり、中段の商品支持台３には、第１の実施形態におるのと同一の後部支持脚８が、同一の態様で取り付けられている。
【００３８】
最上段の商品支持台３の後端部には、前向片１０ａの前後方向の長さを、第１の実施形態における後部支持脚８の前向片８ａの前後方向の長さより大とし、かつ最上段の商品支持台３の下面から下端までの長さを、中段の商品支持台３の上面の高さと同一とし、他の構成を後部支持脚８と同一とした後部支持脚１０が、後部支持脚８と同様の態様で取り付けられている。１０ｂは、後部支持脚８の差込片８ｂと同一とした差込片である。
【００３９】
この実施形態によると、３段のひな壇状の商品陳列面を形成することができる。
同様に、４個以上の商品支持台３を積み重ねることにより、４段以上のひな壇状の商品陳列面を形成することができる。
【００４０】
本発明は、上記実施形態のみに限定されるものではなく、幾多の変形した態様での実施が可能である。
例えば、凹溝１の断面形状は、上記の円弧状のもののみに限られるものではなく、例えばＶ字状、倒立台形状等とすることができる。
また、ストッパ４を、凹溝に設けないで、各商品支持台３の後端面に、上方に出没可能として設けてもよい。
【図面の簡単な説明】
【００４１】
【図１】本発明の第１の実施形態における、ひな壇状に展開した状態を斜め前方より見た斜視図である。
【図２】同じく、斜め後方より見た斜視図である。
【図３】同じく、下段の商品支持台の真上に上段の商品支持台を積み重ねた状態を斜め前方より見た斜視図である。
【図４】同じく、差込孔の中心を含む垂直面で切断したときの縦断側面図である。
【図５】本発明の第２の実施形態における、図４と同様の部分の縦断側面図である。
【符号の説明】
【００４２】
１  凹溝
２  凸部
３  商品支持台
４  ストッパ
５  切欠き
６  差込孔
７  ボス部
８、１０  後部支持脚
８ａ、１０ａ  前向片
８ｂ、１０ｂ  差込片
９  手掛け部
【図１】
2009195282.tif 000003
【図２】
2009195282.tif 000004
【図３】
2009195282.tif 000005
【図４】
2009195282.tif 000006
【図５】
2009195282.tif 000007